(57)【要約】【課題】利便性良好に視聴制限を行う。【解決手段】ＨＤＤレコーダ１００のＤＳＰ３２は、映像情報のディスプレイへの表示を禁止する時間帯である視聴制限時間帯情報、及び、視聴制限時間帯において視聴制限を行うか否かを示す視聴制限実行可否情報を予め格納する視聴制限記憶部３２９と、視聴制限記憶部３２９に格納された視聴制限実行可否情報が視聴制限を行う旨の情報である場合に、現在時刻が視聴制限時間帯に含まれるか否かを判定する時刻判定部３２２と、時刻判定部３２２によって視聴制限時間帯に含まれると判定された場合に、読取部３２１によって読み取られた映像情報のディスプレイへの出力を遮断することによりディスプレイへの表示を禁止する視聴制限実行部３２３と、を備えている。【選択図】図２
2009111547.tif 000002
【特許請求の範囲】
【請求項１】
外部から入力された映像情報を記録媒体に記録すると共に、前記記録媒体に格納された映像情報を再生しモニタに表示する映像記録再生装置であって、
前記記録媒体に格納された映像情報を読み取る読取手段と、
映像情報の前記モニタへの表示を禁止する時間帯である視聴制限時間帯情報、及び、前記視聴制限時間帯において視聴制限を行うか否かを示す視聴制限実行可否情報を予め格納する視聴制限記憶手段と、
前記視聴制限記憶手段に格納された視聴制限実行可否情報が視聴制限を行う旨の情報である場合に、現在時刻が前記視聴制限時間帯に含まれるか否かを判定する時刻判定手段と、
前記時刻判定手段によって視聴制限時間帯に含まれると判定された場合に、前記読取手段によって読み取られた映像情報の前記モニタへの出力を遮断することにより前記モニタへの表示を禁止する視聴制限実行手段と、
を備えることを特徴とする映像記録再生装置。
【請求項２】
前記読取手段によって読み取られた映像情報を、前記モニタへ出力する映像信号に変換するＤＡコンバータを備え、
前記視聴制限実行手段は、前記ＤＡコンバータの動作を停止させることによって、前記モニタへの表示を禁止することを特徴とする請求項１に記載の映像記録再生装置。
【請求項３】
パスワード情報を予め格納するパスワード記憶手段と、
外部からのパスワードの入力を受け付けて、受け付けられたパスワード情報が前記パスワード記憶手段に格納されたパスワード情報と一致するか否かを判定するパスワード判定手段と、
前記パスワード判定手段によって一致すると判定された場合に、外部からの操作入力を受け付けて、受け付けられた操作入力に基づいて、前記視聴制限時間帯において視聴制限を行うか否かの設定を行い、設定された視聴制限実行可否情報を前記視聴制限記憶手段に記録する視聴制限設定手段と、
を備えることを特徴とする請求項１又は請求項２に記載の映像記録再生装置。
【請求項４】
前記パスワード判定手段によって一致すると判定された場合に、外部からの操作入力を受け付けて、受け付けられた操作入力に基づいて、前記視聴制限時間帯を設定し、設定された視聴制限時間帯情報を前記視聴制限記憶手段に記録する時間帯設定手段を備えることを特徴とする請求項３に記載の映像記録再生装置。
【請求項５】
前記時刻判定手段によって視聴制限時間帯に含まれると判定された場合に、視聴制限が行われている旨の情報を前記モニタへ表示する表示制御手段を備えることを特徴とする請求項１〜請求項４のいずれかに記載の映像記録再生装置。
【発明の詳細な説明】
【技術分野】
【０００１】
本発明は、外部から入力された映像情報を記録媒体に記録すると共に、前記記録媒体に格納された映像情報を再生しモニタに表示する映像記録再生装置に関する。
【背景技術】
【０００２】
テレビ受像機等の外部機器又はネットワークを介して入力された映像情報をＨＤＤ（Ｈａｒｄ  Ｄｉｓｋ  Ｄｒｉｖｅ）等の記録媒体に記録すると共に、記録媒体に格納された映像情報を再生しモニタに表示するＨＤＤレコーダ等の映像記録再生装置の普及、及び、ネットワークを介して視聴可能な映画等のコンテンツの拡充に伴い、大人であっても就寝予定時刻を過ぎて映画等を視聴してしまう虞が増大している。
【０００３】
上記課題を解消するために、種々の方法、装置等が提案されている。例えば、ＲＴＣが計時する現在時間が、記憶部が記憶する電源オフ時間帯の範囲内に含まれているか否か判定し、含まれていると判定すれば、電源部からの電源の供給を禁止するテレビ受像機が開示されている（特許文献１参照）。
【特許文献１】特開２００６−３３３０２８号公報
【発明の開示】
【発明が解決しようとする課題】
【０００４】
しかしながら、上記テレビ受像機と同様の方法でＨＤＤレコーダ等の映像記録再生装置の視聴制限を行う場合には、電源オフ時間帯において映像記録再生装置への電源の供給が禁止されるため、ＨＤＤ等記録媒体への録画処理を行うことができないことになる。すなわち、例えば、ＨＤＤレコーダ等において録画予約がされている場合に、電源オフ時間帯と録画予約された番組の放送時間帯とが重なっていると、その重なった時間帯の録画予約番組の録画を行うことができないのである。
【０００５】
上記の課題に鑑みて、本発明は、利便性良好に視聴制限を行うことの可能な映像記録再生装置を提供することを目的としている。
【課題を解決するための手段】
【０００６】
上記目的を達成するために請求項１に記載の映像記録再生装置は、外部から入力された映像情報を記録媒体に記録すると共に、前記記録媒体に格納された映像情報を再生しモニタに表示する映像記録再生装置であって、前記記録媒体に格納された映像情報を読み取る読取手段と、映像情報の前記モニタへの表示を禁止する時間帯である視聴制限時間帯情報、及び、前記視聴制限時間帯において視聴制限を行うか否かを示す視聴制限実行可否情報を予め格納する視聴制限記憶手段と、前記視聴制限記憶手段に格納された視聴制限実行可否情報が視聴制限を行う旨の情報である場合に、現在時刻が前記視聴制限時間帯に含まれるか否かを判定する時刻判定手段と、前記時刻判定手段によって視聴制限時間帯に含まれると判定された場合に、前記読取手段によって読み取られた映像情報の前記モニタへの出力を遮断することにより前記モニタへの表示を禁止する視聴制限実行手段と、を備えることを特徴としている。
【０００７】
請求項２に記載の映像記録再生装置は、請求項１に記載の映像記録再生装置であって、前記読取手段によって読み取られた映像情報を、前記モニタへ出力する映像信号に変換するＤＡコンバータを備え、前記視聴制限実行手段が、前記ＤＡコンバータの動作を停止させることによって、前記モニタへの表示を禁止することを特徴としている。
【０００８】
請求項３に記載の映像記録再生装置は、請求項１又は請求項２に記載の映像記録再生装置であって、パスワード情報を予め格納するパスワード記憶手段と、外部からのパスワードの入力を受け付けて、受け付けられたパスワード情報が前記パスワード記憶手段に格納されたパスワード情報と一致するか否かを判定するパスワード判定手段と、前記パスワード判定手段によって一致すると判定された場合に、外部からの操作入力を受け付けて、受け付けられた操作入力に基づいて、前記視聴制限時間帯において視聴制限を行うか否かの設定を行い、設定された視聴制限実行可否情報を前記視聴制限記憶手段に記録する視聴制限設定手段と、を備えることを特徴としている。
【０００９】
請求項４に記載の映像記録再生装置は、請求項３に記載の映像記録再生装置であって、前記パスワード判定手段によって一致すると判定された場合に、外部からの操作入力を受け付けて、受け付けられた操作入力に基づいて、前記視聴制限時間帯を設定し、設定された視聴制限時間帯情報を前記視聴制限記憶手段に記録する時間帯設定手段を備えることを特徴としている。
【００１０】
請求項５に記載の映像記録再生装置は、請求項１〜請求項４のいずれかに記載の映像記録再生装置であって、前記時刻判定手段によって視聴制限時間帯に含まれると判定された場合に、視聴制限が行われている旨の情報を前記モニタへ表示する表示制御手段を備えることを特徴としている。
【発明の効果】
【００１１】
請求項１に記載の映像記録再生装置によれば、映像情報のモニタへの表示を禁止する時間帯である視聴制限時間帯情報、及び、視聴制限時間帯において視聴制限を行うか否かを示す視聴制限実行可否情報が予め視聴制限記憶手段に格納されており、記録媒体に格納された映像情報が読み取られる。そして、視聴制限記憶手段に格納された視聴制限実行可否情報が視聴制限を行う旨の情報である場合に、現在時刻が視聴制限時間帯に含まれるか否かが判定され、視聴制限時間帯に含まれると判定された場合に、読み取られた映像情報のモニタへの出力が禁止されることによりモニタへの表示が禁止されるため、利便性良好に視聴制限を行うことができる。
【００１２】
すなわち、視聴制限記憶手段に格納された視聴制限実行可否情報が視聴制限を行う旨の情報である場合に、現在時刻が視聴制限記憶手段に格納された視聴制限時間帯に含まれるか否かが判定され、視聴制限時間帯に含まれると判定された場合に、読み取られた映像情報のモニタへの出力が遮断されることによりモニタへの表示が禁止されるため、録画予約番組の録画等の処理を行うことができるので、利便性良好に視聴制限を行うことができる。
【００１３】
請求項２に記載の映像記録再生装置によれば、記録媒体から読み取られた映像情報をモニタへ出力する映像信号に変換するＤＡコンバータの動作を停止させることによって、モニタへの表示が禁止されるため、簡素な構成で利便性良好に視聴制限を行うことができる。
【００１４】
請求項３に記載の映像記録再生装置によれば、パスワード情報が予めパスワード記憶手段に格納されており、外部からのパスワードの入力が受け付けられて、受け付けられたパスワード情報がパスワード記憶手段に格納されたパスワード情報と一致するか否かが判定される。そして、一致すると判定された場合に、外部からの操作入力が受け付けられて、受け付けられた操作入力に基づいて、視聴制限時間帯において視聴制限を行うか否かの設定が行われ、設定された視聴制限実行可否情報が視聴制限記憶手段に記録されるため、更に利便性良好に視聴制限を行うことができる。
【００１５】
すなわち、外部から受け付けられたパスワード情報がパスワード記憶手段に格納されたパスワード情報と一致すると判定された場合に、外部からの操作入力に基づいて、視聴制限時間帯において視聴制限を行うか否かの設定が行われ、設定された視聴制限実行可否情報が視聴制限記憶手段に記録されるため、例えば、視聴制限を受けるユーザ（例えば、子供）と、視聴制限を設定するユーザ（例えば、親）とが異なる場合に、親は自由に視聴制限を行うか否かの設定を行うことができ、子供は視聴制限を行うか否かの設定を行うことができないので、更に利便性良好に視聴制限を行うことができるのである。
【００１６】
請求項４に記載の映像記録再生装置によれば、外部から受け付けられたパスワード情報がパスワード記憶手段に格納されたパスワード情報と一致すると判定された場合に、外部からの操作入力が受け付けられて、受け付けられた操作入力に基づいて、視聴制限時間帯が設定され、設定された視聴制限時間帯情報が視聴制限記憶手段に記録されるため、更に利便性良好に視聴制限を行うことができる。
【００１７】
すなわち、外部から受け付けられたパスワード情報がパスワード記憶手段に格納されたパスワード情報と一致すると判定された場合に、外部からの操作入力に基づいて、視聴制限時間帯が設定され、設定された視聴制限時間帯情報が視聴制限記憶手段に記録されるため、例えば、視聴制限を受けるユーザ（例えば、子供）と、視聴制限を設定するユーザ（例えば、親）とが異なる場合に、親は自由に視聴制限時間帯の設定を行うことができ、子供は視聴制限時間帯の設定を行うことができないので、更に利便性良好に視聴制限を行うことができるのである。
【００１８】
請求項５に記載の映像記録再生装置によれば、視聴制限時間帯に含まれると判定された場合に、視聴制限が行われている旨の情報がモニタに表示されるため、更に利便性良好に視聴制限を行うことができる。
【００１９】
すなわち、視聴制限時間帯に含まれると判定された場合に、視聴制限が行われている旨の情報がモニタに表示されるため、例えば、ユーザが、故障等に起因して映像情報がモニタに表示されないと誤認することを防止することができるので、更に利便性良好に視聴制限を行うことができるのである。
【発明を実施するための最良の形態】
【００２０】
以下に本発明の実施形態を、図面を参照しながら説明する。図１は、本発明に係るＨＤＤレコーダの一例を示す構成図である。ＨＤＤレコーダ１００（映像記録再生装置に相当する）は、テレビ受像機２００と通信可能に接続され、テレビ受像機２００から入力された映像情報及び音声情報を、ＨＤＤ８及びＤＶＤ２に記録すると共に、ＨＤＤ８及びＤＶＤ２に格納された映像情報及び音声情報を再生し、それぞれ、テレビ受像機２００に配設されたディスプレイ及びスピーカに表示するものであって、光ピックアップ１、出力装置３、制御装置４、駆動装置５、表示部６、操作部７、及び、ＨＤＤ８を備えている。
【００２１】
光ピックアップ１（読取手段の一部に相当する）は、ＣＤ用ＬＤ（Ｌａｓｅｒ  Ｄｉｏｄｅ）及びＤＶＤ用ＬＤを備え、再生する対象の光ディスク２（記録媒体に相当する：ＣＤ又はＤＶＤ）からの反射光を電気信号に変換し、光ディスク２（ＣＤ、又は、ＤＶＤ）に格納された音声情報、映像情報等の各種情報の読み取りを行うと共に、光ディスク２（ＣＤ、又は、ＤＶＤ）に音声情報、映像情報等の各種情報を書き込むものである。ＣＤ用ＬＤは、ＣＤに格納された情報を読み取ると共に、情報を書き込むレーザ光を照射するものである。ＤＶＤ用ＬＤは、ＤＶＤに格納された情報を読み取ると共に、情報を書き込むレーザ光を照射するものである。また、光ピックアップ１は、送りモータ５１によって、光ディスク２の径方向、及び、垂直方向（近接、離間方向）に移動可能に構成されている。
【００２２】
出力装置３は、光ピックアップ１からの音声情報、映像情報等の情報を、音声及び映像に変換して、それぞれ、テレビ受像機２００に配設された図略のスピーカ及びモニタに出力するものであって、ＲＦアンプ３１、ＤＳＰ（Ｄｉｇｉｔａｌ  Ｓｉｇｎａｌ  Ｐｒｏｃｅｓｓｏｒ）３２、再生処理回路３３、及び、出力回路３４を備えている。
【００２３】
ＲＦアンプ３１（読取手段の一部に相当する）は、光ピックアップ１からの音声情報、映像情報等に対応する信号を増幅してＤＳＰ３２に出力するものである。
【００２４】
ＤＳＰ３２及び再生処理回路３３は、ＲＦアンプ３１からの信号に対して、再生のための各種情報処理（例えばデコード処理、画像処理等）を施すものである。出力回路３４（視聴制限実行手段の一部、表示制御手段の一部に相当する）は、再生処理回路３３からの情報を、テレビ受像機２００に配設された図略のスピーカ及びディスプレイに出力するためにＤＡ変換処理等を行うものである。
【００２５】
また、ＤＳＰ３２は、システムコントローラ４１を介してテレビ受像機２００から受け付けられた映像情報及び音声情報等を、光ピックアップ１及びドライバＩＣ４２を介して光ディスク２に書き込むと共に、インターフェイス部８１を介してＨＤＤ８に書き込むものである。
【００２６】
制御装置４は、操作部７を介して受け付けた指示操作に基づいて、光ピックアップ１及び駆動装置５の動作を制御するものであって、システムコントローラ４１、及び、ドライバＩＣ４２を備えている。システムコントローラ４１は、操作部７からの情報を受け付けてＤＳＰ３２に伝送すると共に、ＤＳＰ３２からの情報を表示部６に伝送するものである。また、システムコントローラ４１は、インターフェイス部４１１を介してテレビ受像機２００からの映像情報及び音声情報等を受け付け、ＤＳＰ３２へ出力するものである。
【００２７】
ドライバＩＣ４２は、ＤＳＰ３２からの指示に基づいて、光ピックアップ１及び駆動装置５の動作を制御するものである。具体的には、ドライバＩＣ４２は、光ピックアップ１に配設されたＣＤ用ＬＤ及びＤＶＤ用ＬＤの動作を制御すると共に、駆動装置５を構成する送りモータ５１及びスピンドルモータ５２の動作を制御するものである。
【００２８】
駆動装置５は、送りモータ５１及びスピンドルモータ５２を備える。送りモータ５１は、ドライバＩＣ４２からの指示に基づいて光ピックアップ１を光ディスク２の径方向及び垂直方向に移動させるものである。スピンドルモータ５２は、ドライバＩＣ４２からの指示に基づいて光ディスク２を回転駆動するものである。
【００２９】
表示部６は、ＬＣＤ（Ｌｉｑｕｉｄ  Ｃｒｙｓｔａｌ  Ｄｉｓｐｌａｙ）等を備え、ＤＳＰ３２からの情報を外部から視認可能に表示するものである。操作部７（パスワード判定手段の一部、視聴制限設定手段の一部、及び、時間帯設定手段の一部に相当する）は、種々の操作キー等を備え、ユーザからの操作を受け付けて、ＤＳＰ３２に対応する操作信号を出力するものである。
【００３０】
ＨＤＤ８（記録媒体に相当する）は、テレビ受像機２００からシステムコントローラ４１を介して受け付けられた映像情報及び音声情報等を格納すると共に、格納された映像情報及び音声情報をテレビ受像機２００（ディスプレイ及びスピーカ）に対して出力するものである。
【００３１】
テレビ受像機２００は、ＬＣＤ等からなる図略のディスプレイ（モニタに相当する）及びスピーカを備え、テレビジョン放送を受信して、受信した映像情報及び音声情報にそれぞれ対応する映像及び音声を出力すると共に、受信した映像情報及び音声情報をＨＤＤレコーダ１００（システムコントローラ４１）へ出力するものである。また、テレビ受像機２００は、出力回路３４からの映像情報及び音声情報にそれぞれ対応する映像及び音声を出力するものである。
【００３２】
図２は、本発明に係るＨＤＤレコーダ１００における主要部の構成の一例を示す機能構成図である。ＤＳＰ３２は、ＣＰＵ（Ｃｅｎｔｒａｌ  Ｐｒｏｃｅｓｓｉｎｇ  Ｕｎｉｔ）３２Ａ、ＲＡＭ（Ｒａｎｄｏｍ  Ａｃｃｅｓｓ  Ｍｅｍｏｒｙ）３２Ｂ、及び、図略のＲＯＭ（Ｒｅａｄ  Ｏｎｌｙ  Ｍｅｍｏｒｙ）を備えている。ＣＰＵ３２Ａは、機能的に、読取部３２１、時刻判定部３２２、視聴制限実行部３２３、表示制御部３２４、パスワード判定部３２５、視聴制限設定部３２６、及び、時間帯設定部３２７を備え、ＲＡＭ３２Ｂは、機能的に、パスワード記憶部３２８、及び、視聴制限記憶部３２９を備えている。
【００３３】
ここでは、ＣＰＵが、図略のＲＯＭ等に予め格納されたプログラムを読み出して実行することにより、読取部３２１、時刻判定部３２２、視聴制限実行部３２３、表示制御部３２４、パスワード判定部３２５、視聴制限設定部３２６、時間帯設定部３２７等の機能部として機能すると共に、ＲＡＭ３２Ｂを、パスワード記憶部３２８、視聴制限記憶部３２９等の機能部として機能させるものである。
【００３４】
また、ＲＡＭ３２Ｂ又は図略のＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００３５】
更に、出力回路３４は、映像ＤＡ（Ｄｉｇｉｔａｌ  ｔｏ  Ａｎａｌｏｇ）コンバータ３４１、音声ＤＡコンバータ３４２、及び、ＯＳＤ（Ｏｎ−Ｓｃｒｅｅｎ  Ｄｉｓｐｌａｙ）回路３４３を備えている。映像ＤＡコンバータ３４１（視聴制限実行手段の一部）は、読取部３２１によって読み出された光ディスク２に格納された映像情報（＝デジタル信号）を、映像信号（＝アナログ信号）に変換してテレビ受像機２００（ディスプレイ）に出力するものである。
【００３６】
音声ＤＡコンバータ３４２は、読取部３２１によって読み出された光ディスク２に格納された音声情報（＝デジタル信号）を、音声信号（＝アナログ信号）に変換してテレビ受像機２００（スピーカ）に出力するものである。ＯＳＤ回路３４３（表示制御手段の一部に相当する）は、表示制御部３２４からの指示に基づいて、テレビ受像機２００（ディスプレイ）にＯＳＤ（Ｏｎ−Ｓｃｒｅｅｎ  Ｄｉｓｐｌａｙ）表示を行うものである。
【００３７】
パスワード記憶部３２８（パスワード記憶手段に相当する）は、パスワード情報を予め格納するものである。パスワード記憶部３２８に格納されたパスワード情報は、パスワード判定部３２５によって読み出されるものである。
【００３８】
視聴制限記憶部３２９（視聴制限記憶手段に相当する）は、映像情報のディスプレイへの表示を禁止する時間帯である視聴制限時間帯情報、及び、視聴制限時間帯において視聴制限を行うか否かを示す視聴制限実行可否情報を予め格納するものである。視聴制限記憶部３２９に格納された視聴制限時間帯情報は、視聴制限実行部３２３によって読み出されると共に、時間帯設定部３２７によって記録される（＝書き込まれる）ものである。視聴制限記憶部３２９に格納された視聴制限実行可否情報は、視聴制限実行部３２３によって読み出されると共に、視聴制限設定部３２６によって記録される（＝書き込まれる）ものである。
【００３９】
読取部３２１（読取手段の一部に相当する）は、図１に示す光ピックアップ１、ＲＦアンプ３１を介して光ディスク２（又はＨＤＤ８）に格納された映像情報及び音声情報を読み取ると共に、読み取られた映像情報及び音声情報を、デコード回路３３１を介して、出力回路３４（映像ＤＡコンバータ３４１、音声ＤＡコンバータ３４２）に出力するものである。
【００４０】
時刻判定部３２２（時刻判定手段に相当する）は、計時機能を備え、視聴制限記憶部３２９に格納された視聴制限実行可否情報が視聴制限を行う旨の情報である場合に、計時機能によって取得された現在時刻が、視聴制限記憶部３２９に格納された視聴制限時間帯に含まれるか否かを判定するものである。
【００４１】
視聴制限実行部３２３（視聴制限実行手段の一部に相当する）は、時刻判定部３２２によって視聴制限時間帯に含まれると判定された場合に、読取部３２１によって読み取られた映像情報のテレビ受像機２００（ディスプレイ）への出力を遮断することによりテレビ受像機２００に配設されたディスプレイへの表示を禁止すると共に、読取部３２１によって読み取られた音声情報のテレビ受像機２００（スピーカ）への出力を遮断することによりテレビ受像機２００に配設されたスピーカへの出力を禁止するものである。
【００４２】
具体的には、視聴制限実行部３２３は、映像ＤＡコンバータ３４１の動作を停止させる（＝映像ＤＡコンバータ３４１をＯＦＦする）ことによって、映像情報のテレビ受像機２００（ディスプレイ）への表示を禁止すると共に、音声ＤＡコンバータ３４２の動作を停止させる（＝音声ＤＡコンバータ３４２をＯＦＦする）ことによって、音声情報のテレビ受像機２００（スピーカ）への表示を禁止するものである。
【００４３】
表示制御部３２４（表示制御手段の一部に相当する）は、時刻判定部３２２によって現在時刻が視聴制限時間帯に含まれると判定された場合に、ＯＳＤ回路３４３を介して、視聴制限が行われている旨の情報（ここでは、図５（ａ）に示す視聴制限表示画面９００）をテレビ受像機２００（ディスプレイ）へ表示するものである。
【００４４】
パスワード判定部３２５（パスワード判定手段の一部に相当する）は、操作部７を介してユーザからのパスワードの入力を受け付けて、受け付けられたパスワード情報がパスワード記憶部３２８に格納されたパスワード情報と一致するか否かを判定するものである。
【００４５】
ここでは、パスワード判定部３２５は、図５（ａ）に示す視聴制限表示画面９００の視聴制限解除ボタン９０２が押下された場合に、操作部７を介してユーザからのパスワードの入力を受け付けると共に、図５（ａ）に示す視聴制限表示画面９００の時間帯変更ボタン９０３が押下された場合に、図５（ｂ）に示す視聴制限設定画面９１０を介して、操作部７を介してユーザからのパスワードの入力を受け付けるものである。
【００４６】
視聴制限設定部３２６（視聴制限設定手段の一部に相当する）は、パスワード判定部３２５によって一致すると判定された場合に、操作部７を介してユーザからの操作入力を受け付けて、受け付けられた操作入力に基づいて、視聴制限時間帯において視聴制限を行うか否かの設定を行い、設定された視聴制限実行可否情報を視聴制限記憶部３２９に記録するものである。
【００４７】
ここでは、視聴制限設定部３２６は、図５（ａ）に示す視聴制限表示画面９００の視聴制限解除ボタン９０２が押下された場合に、パスワード判定部３２５に対して、操作部７を介してユーザからのパスワードの入力を受け付けさせ、パスワード判定部３２５によって、受け付けられたパスワード情報がパスワード記憶部３２８に格納されたパスワード情報と一致すると判定された場合に、視聴制限を行わないことを示す視聴制限実行可否情報を視聴制限記憶部３２９に記録するものである。
【００４８】
また、視聴制限設定部３２６は、パスワード判定部３２５によって、操作部７を介して受け付けられたパスワード情報がパスワード記憶部３２８に格納されたパスワード情報と一致すると判定された場合（＝視聴制限が解除された場合）に、視聴制限実行部３２３を介して、映像ＤＡコンバータ３４１及び音声ＤＡコンバータ３４２を動作させる（＝映像ＤＡコンバータ３４１及び音声ＤＡコンバータ３４２をＯＮする）ものである。
【００４９】
時間帯設定部３２７（時間帯設定手段の一部に相当する）は、パスワード判定部３２５によって一致すると判定された場合に、操作部７を介してユーザからの操作入力を受け付けて、受け付けられた操作入力に基づいて、視聴制限時間帯を設定し、設定された視聴制限時間帯情報を視聴制限記憶部３２９に記録するものである。
【００５０】
ここでは、時間帯設定部３２７は、図５（ａ）に示す視聴制限表示画面９００の時間帯変更ボタン９０３が押下された場合に、図５（ｂ）に示す視聴制限設定画面９１０を、ＯＳＤ回路３４３を介してテレビ受像機２００（ディスプレイ）へ表示し、パスワード判定部３２５に対して、操作部７を介してユーザからのパスワードの入力を受け付けさせ、パスワード判定部３２５によって、受け付けられたパスワード情報がパスワード記憶部３２８に格納されたパスワード情報と一致すると判定された場合に、操作部７を介して受け付けられた操作入力に基づいて、視聴制限時間帯を設定し、設定された視聴制限時間帯情報を視聴制限記憶部３２９に記録する（＝更新する）ものである。
【００５１】
図３、図４は、本発明に係るＨＤＤレコーダ１００（主にＤＳＰ３２のＣＰＵ３２Ａ）の動作の一例を示すフローチャートである。まず、読取部３２１によって、光ディスク２に格納された映像情報が読み取られる（Ｓ１０１）。そして、時刻判定部３２２によって、視聴制限記憶部３２９に格納された視聴制限実行可否情報が視聴制限を行う旨の情報であるか否かの判定が行われる（Ｓ１０３）。視聴制限を行う旨の情報ではないと判定された場合（Ｓ１０３でＮＯ）には、処理が待機状態とされる。視聴制限を行う旨の情報であると判定された場合（Ｓ１０３でＹＥＳ）には、時刻判定部３２２によって、現在時刻が、視聴制限記憶部３２９に格納された視聴制限時間帯に含まれるか否かが判定される（Ｓ１０５）。
【００５２】
視聴制限時間帯に含まれないと判定された場合（Ｓ１０５でＮＯ）には、視聴制限実行部３２３によって、映像ＤＡコンバータ３４１及び音声ＤＡコンバータ３４２がＯＮされ（Ｓ１０９）、処理がステップＳ１０５に戻され、ステップＳ１０５以降の処理が繰り返し実行される。視聴制限時間帯に含まれると判定された場合（Ｓ１０５でＹＥＳ）には、視聴制限実行部３２３によって、映像ＤＡコンバータ３４１及び音声ＤＡコンバータ３４２がＯＦＦされる（Ｓ１０７）。そして、表示制御部３２４によって、視聴制限が行われている旨の情報（ここでは、図５（ａ）に示す視聴制限表示画面９００）がテレビ受像機２００（ディスプレイ）に表示される（Ｓ１１１）。
【００５３】
次いで、視聴制限設定部３２６によって、図５（ａ）に示す視聴制限表示画面９００の視聴制限解除ボタン９０２が押下されたか否かの判定が行われる（Ｓ１１３）。視聴制限解除ボタン９０２が押下されたと判定された場合（Ｓ１１３でＹＥＳ）には、処理が図４に示すステップＳ１１７に進められる。視聴制限解除ボタン９０２が押下されていないと判定された場合（Ｓ１１３でＮＯ）には、時間帯設定部３２７によって、図５（ａ）に示す視聴制限表示画面９００の時間帯変更ボタン９０３が押下されたか否かの判定が行われる（Ｓ１１５）。時間帯変更ボタン９０３が押下されたと判定された場合（Ｓ１１５でＹＥＳ）には、処理が図４に示すステップＳ１２５に進められる。時間帯変更ボタン９０３が押下されていないと判定された場合（Ｓ１１５でＮＯ）には、処理がステップＳ１０５に戻され、ステップＳ１０５以降の処理が繰り返し実行される。
【００５４】
図４に示すように、図３のステップＳ１１３でＹＥＳの場合には、パスワード判定部３２５によって、操作部７を介してユーザからのパスワードの入力が受け付けられる（Ｓ１１７）。そして、パスワード判定部３２５によって、ステップＳ１１７において受け付けられたパスワード情報がパスワード記憶部３２８に格納されたパスワード情報と一致するか否かの判定が行われる（Ｓ１１９）。一致しないと判定された場合（Ｓ１１９でＮＯ）には、処理が図３に示すステップＳ１０５に戻され、ステップＳ１０５以降の処理が繰り返し実行される。一致すると判定された場合（Ｓ１１９でＹＥＳ）には、視聴制限設定部３２６によって、視聴制限を行わないことを示す視聴制限実行可否情報が視聴制限記憶部３２９に記録される（Ｓ１２１）。そして、視聴制限設定部３２６によって、映像ＤＡコンバータ３４１及び音声ＤＡコンバータ３４２がＯＮされ（Ｓ１２３）、処理が図３に示すステップＳ１０３に戻され、ステップＳ１０３以降の処理が繰り返し実行される。
【００５５】
また、図４に示すように、図３のステップＳ１１５でＹＥＳの場合には、パスワード判定部３２５によって、操作部７を介してユーザからのパスワードの入力が受け付けられる（Ｓ１２５）。そして、パスワード判定部３２５によって、ステップＳ１２５において受け付けられたパスワード情報がパスワード記憶部３２８に格納されたパスワード情報と一致するか否かの判定が行われる（Ｓ１２７）。一致しないと判定された場合（Ｓ１２７でＮＯ）には、処理が図３に示すステップＳ１０５に戻され、ステップＳ１０５以降の処理が繰り返し実行される。一致すると判定された場合（Ｓ１２７でＹＥＳ）には、時間帯設定部３２７によって、操作部７を介して視聴制限時間帯の設定が受け付けられたか否かの判定が行われる（Ｓ１２９）。
【００５６】
視聴制限時間帯の設定が受け付けられていないと判定された場合（Ｓ１２９でＮＯ）には、処理が図３に示すステップＳ１０５に戻され、ステップＳ１０５以降の処理が繰り返し実行される。視聴制限時間帯の設定が受け付けられたと判定された場合（Ｓ１２９でＹＥＳ）には、ステップＳ１１９で受け付けられた視聴制限時間帯情報が視聴制限記憶部３２９に記録され（Ｓ１３１）、処理が図３に示すステップＳ１０３に戻され、ステップＳ１０３以降の処理が繰り返し実行される。
【００５７】
図５（ａ）は、図３に示すフローチャートのステップＳ１１１においてテレビ受像機２００（ディスプレイ）に表示される視聴制限表示画面の一例を示す画面図であり、図５（ｂ）は、図４に示すフローチャートのステップＳ１２５においてテレビ受像機２００（ディスプレイ）に表示される視聴制限設定画面の一例を示す画面図である。図５（ａ）に示す視聴制限表示画面９００には、画面上部に、ガイダンス表示部９０１が表示され、画面下部に、視聴制限解除ボタン９０２及び時間帯変更ボタン９０３が表示されている。
【００５８】
ガイダンス表示部９０１は、視聴制限が行われている旨の情報を文字情報として表示するものである。ここでは、ガイダンス表示部９０１には、視聴制限記憶部３２９に格納された視聴制限時間帯情報に対応する時間帯を示す文字情報（ＡＭ０：００〜ＡＭ８：００）も併せて表示されており、午前０時から午前８時までの間が視聴制限時間帯に設定されていることが判る。
【００５９】
視聴制限解除ボタン９０２は、視聴制限を解除する場合に押下するボタンである。視聴制限解除ボタン９０２が押下された場合には、パスワードを入力が促され、入力されたパスワードがパスワード記憶部３２８に格納されたパスワード情報と一致する場合には、視聴制限が解除されて、映像情報及び音声情報が出力される。
【００６０】
時間帯変更ボタン９０３は、視聴制限を行う時間帯である視聴制限時間帯を変更する場合に押下されるボタンである。時間帯変更ボタン９０３が押下された場合には、図５（ｂ）に示す視聴制限設定画面９１０がテレビ受像機２００（ディスプレイ）に表示される。
【００６１】
図５（ｂ）に示す視聴制限設定画面９１０には、画面略中央部に、パスワード表示部９１１が表示され、パスワード表示部９１１の下側に、視聴制限表示部９１２が表示され、視聴制限表示部９１２の下側に、時間帯表示部９１３が表示され、画面下部に、設定ボタン９１４及びキャンセルボタン９１５が表示されている。
【００６２】
パスワード表示部９１１は、操作部７を介して入力されたパスワード情報を表示するものである。視聴制限表示部９１２は、視聴制限記憶部３２９に格納された視聴制限実行可否情報に対応する文字情報を表示するものである。ここでは、視聴制限実行可否情報が視聴制限を行う旨の情報である場合には、「視聴制限：ＯＮ」と表示され、視聴制限実行可否情報が視聴制限を行わない旨の情報である場合には、「視聴制限：ＯＦＦ」と表示される。
【００６３】
時間帯表示部９１３は、視聴制限記憶部３２９に格納された視聴制限時間帯を変更可能に表示するものである。パスワード表示部９１１を介して入力されたパスワード情報がパスワード記憶部３２８に格納されたパスワード情報と一致すると判定された場合には、ユーザは、操作部７を介して所望する視聴制限時間帯を時間帯表示部９１３へ入力することによって、視聴制限時間帯を設定することができる。
【００６４】
設定ボタン９１４は、時間帯表示部９１３に表示された視聴制限時間帯に設定する場合に押下されるボタンである。キャンセルボタン９１５は、時間帯表示部９１３に表示された視聴制限時間帯をキャンセルする場合に押下されるボタンである。キャンセルボタン９１５が押下された場合には、図５（ａ）に示す視聴制限表示画面９００が表示される。
【００６５】
このようにして、映像情報のテレビ受像機２００に配設されたディスプレイへの表示を禁止する時間帯である視聴制限時間帯情報、及び、視聴制限時間帯において視聴制限を行うか否かを示す視聴制限実行可否情報が予め視聴制限記憶部３２９に格納されており、光ディスク２（又は、ＨＤＤ８）に格納された映像情報が読み取られる。そして、視聴制限記憶部３２９に格納された視聴制限実行可否情報が視聴制限を行う旨の情報である場合に、現在時刻が視聴制限時間帯に含まれるか否かが判定され、視聴制限時間帯に含まれると判定された場合に、読み取られた映像情報のディスプレイへの出力が禁止されることによりディスプレイへの表示が禁止されるため、利便性良好に視聴制限を行うことができる。
【００６６】
すなわち、視聴制限記憶部３２９に格納された視聴制限実行可否情報が視聴制限を行う旨の情報である場合に、現在時刻が視聴制限記憶部３２９に格納された視聴制限時間帯に含まれるか否かが判定され、視聴制限時間帯に含まれると判定された場合に、読み取られた映像情報のディスプレイへの出力が遮断されることによりディスプレイへの表示が禁止されるため、録画予約番組の録画等の処理を行うことができるので、利便性良好に視聴制限を行うことができる。
【００６７】
また、光ディスク２（又は、ＨＤＤ８）から読み取られた映像情報をテレビ受像機２００に配設されたディスプレイへ出力する映像信号に変換する映像ＤＡコンバータ３４１の動作を停止させることによって、ディスプレイへの表示が禁止されるため、簡素な構成で利便性良好に視聴制限を行うことができる。
【００６８】
更に、パスワード情報が予めパスワード記憶部３２８に格納されており、操作部７を介してユーザからのパスワードの入力が受け付けられて、受け付けられたパスワード情報がパスワード記憶部３２８に格納されたパスワード情報と一致するか否かが判定される。そして、一致すると判定された場合に、操作部７を介してユーザからの操作入力が受け付けられて、受け付けられた操作入力に基づいて、視聴制限時間帯において視聴制限を行うか否かの設定が行われ、設定された視聴制限実行可否情報が視聴制限記憶部３２９に記録されるため、更に利便性良好に視聴制限を行うことができる。
【００６９】
すなわち、操作部７を介してユーザから受け付けられたパスワード情報がパスワード記憶部３２８に格納されたパスワード情報と一致すると判定された場合に、操作部７を介するユーザからの操作入力に基づいて、視聴制限時間帯において視聴制限を行うか否かの設定が行われ、設定された視聴制限実行可否情報が視聴制限記憶部３２９に記録されるため、例えば、視聴制限を受けるユーザ（例えば、子供）と、視聴制限を設定するユーザ（例えば、親）とが異なる場合に、親は自由に視聴制限を行うか否かの設定を行うことができ、子供は視聴制限を行うか否かの設定を行うことができないので、更に利便性良好に視聴制限を行うことができるのである。
【００７０】
加えて、操作部７を介してユーザから受け付けられたパスワード情報がパスワード記憶部３２８に格納されたパスワード情報と一致すると判定された場合に、操作部７を介してユーザからの操作入力が受け付けられて、受け付けられた操作入力に基づいて、視聴制限時間帯が設定され、設定された視聴制限時間帯情報が視聴制限記憶部３２９に記録されるため、更に利便性良好に視聴制限を行うことができる。
【００７１】
すなわち、操作部７を介してユーザから受け付けられたパスワード情報がパスワード記憶部３２８に格納されたパスワード情報と一致すると判定された場合に、操作部７を介するユーザからの操作入力に基づいて、視聴制限時間帯が設定され（図５（ｂ）参照）、設定された視聴制限時間帯情報が視聴制限記憶部３２９に記録されるため、例えば、視聴制限を受けるユーザ（例えば、子供）と、視聴制限を設定するユーザ（例えば、親）とが異なる場合に、親は自由に視聴制限時間帯の設定を行うことができ、子供は視聴制限時間帯の設定を行うことができないので、更に利便性良好に視聴制限を行うことができるのである。
【００７２】
また、視聴制限時間帯に含まれると判定された場合に、視聴制限が行われている旨の情報がディスプレイに表示されるため、更に利便性良好に視聴制限を行うことができる。
【００７３】
すなわち、視聴制限時間帯に含まれると判定された場合に、視聴制限が行われている旨の情報がディスプレイに表示される（図５（ａ）参照）ため、例えば、ユーザが、故障等に起因して映像情報がディスプレイに表示されないと誤認することを防止することができるので、更に利便性良好に視聴制限を行うことができるのである。
【００７４】
なお、本発明は、以下の形態にも適用可能である。
（Ａ）本実施形態では、映像記録再生装置がＨＤＤレコーダ１００である場合について説明したが、映像記録再生装置が外部から入力された映像情報を記録媒体に記録すると共に、前記記録媒体に格納された映像情報を再生しモニタに表示する装置であればよい。例えば、映像記録再生装置が、ＤＶＤレコーダである形態でもよいし、ハードディスク等の記録媒体に格納された映像情報を再生可能に構成されたパーソナルコンピュータである形態でもよい。
【００７５】
（Ｂ）本実施形態では、記録媒体が光ディスク２及びＨＤＤ８である場合について説明したが、記録媒体が光ディスク２又はＨＤＤ８である形態でもよいし、その他の種類の記録媒体である形態でもよい。例えば、記録媒体が、フレキシブルディスク、半導体メモリ等である形態でもよい。
【００７６】
（Ｃ）本実施形態では、ＤＳＰ３２が、読取部３２１、時刻判定部３２２、視聴制限実行部３２３、表示制御部３２４、パスワード判定部３２５、視聴制限設定部３２６、時間帯設定部３２７等の機能部として機能する場合について説明したが、読取部３２１、時刻判定部３２２、視聴制限実行部３２３、表示制御部３２４、パスワード判定部３２５、視聴制限設定部３２６、及び、時間帯設定部３２７の内、少なくとも１の機能部が回路等のハードウェアによって実現されている形態でもよい。
【００７７】
（Ｄ）本実施形態では、視聴制限実行部３２３が、映像ＤＡコンバータ３４１の動作を停止させることによって、映像情報のテレビ受像機２００（ディスプレイ）への出力を禁止する場合について説明したが、視聴制限実行部３２３が、映像情報のディスプレイへの出力を遮断することによりディスプレイへの表示を禁止する形態であればよい。例えば、映像ＤＡコンバータ３４１の出力側にスイッチを備え、視聴制限実行部３２３が、このスイッチをＯＦＦすることによってディスプレイへの表示を禁止する形態でもよい。
【００７８】
（Ｅ）本実施形態では、視聴制限実行部３２３が、映像ＤＡコンバータ３４１及び音声ＤＡコンバータ３４２の動作を停止させる場合について説明したが、視聴制限実行部３２３が、映像ＤＡコンバータ３４１のみの動作を停止させる形態でもよい。
【図面の簡単な説明】
【００７９】
【図１】は、本発明に係るＨＤＤレコーダの一例を示す構成図である。
【図２】は、本発明に係るＨＤＤレコーダにおける主要部の構成の一例を示す機能構成図である。
【図３】は、本発明に係るＨＤＤレコーダ（主にＤＳＰ）の動作の一例を示すフローチャート（前半部）である。
【図４】は、本発明に係るＨＤＤレコーダ（主にＤＳＰ）の動作の一例を示すフローチャート（後半部）である。
【図５】は、図３に示すフローチャートのステップＳ１１１及び図４に示すフローチャートのステップＳ１２５においてそれぞれディスプレイに表示される視聴制限表示画面、及び、視聴制限設定画面の一例を示す画面図である。
【符号の説明】
【００８０】
１００    ＨＤＤレコーダ（映像記録再生装置）
１    光ピックアップ（読取手段の一部）
３    出力装置
３１    ＲＦアンプ（読取手段の一部）
３２    ＤＳＰ
３２Ａ    ＣＰＵ
３２１    読取部（読取手段の一部）
３２２    時刻判定部（時刻判定手段）
３２３    視聴制限実行部（視聴制限実行手段の一部）
３２４    表示制御部（表示制御手段の一部）
３２５    パスワード判定部（パスワード判定手段の一部）
３２６    視聴制限設定部（視聴制限設定手段の一部）
３２７    時間帯設定部（時間帯設定手段の一部）
３２Ｂ    ＲＡＭ
３２８    パスワード記憶部（パスワード記憶手段）
３２９    視聴制限記憶部（視聴制限記憶手段）
３２１    読取部（読取手段の一部）
３３    再生処理回路
３４    出力回路
３４１    映像ＤＡコンバータ（視聴制限実行手段の一部）
３４２    音声ＤＡコンバータ
３４３    ＯＳＤ回路（表示制御手段の一部）
７    操作部（パスワード判定手段の一部、視聴制限設定手段の一部、時間帯設定手段の一部）
２    光ディスク（記録媒体）
８    ＨＤＤ（記録媒体）
２００    テレビ受像機（モニタ）
【図１】
2009111547.tif 000003
【図２】
2009111547.tif 000004
【図３】
2009111547.tif 000005
【図４】
2009111547.tif 000006
【図５】
2009111547.tif 000007